(57)【特許請求の範囲】
【請求項１】
土の地面にねじ込み埋設された下部支柱と、この下部支柱に設けられ上方へ起立する上部支柱と、この上部支柱に設けられ光を反射する反射体と、を備えている視線誘導標であって、
前記下部支柱は、前記地面に所定の長さに埋設され下方に延びている下部本体部と、この下部本体部の上部に設けられ前記下部本体部の外径よりも大きい外形の頭部と、この頭部から上方に延びるように設けられ前記上部支柱を支持する突き出し部と、前記下部本体部の先端部に形成され下方に向かって先細りになる先細り部と、この先細り部及び前記下部本体部の外周に形成され地面にねじ込み可能なねじ部と、を備え、
前記頭部は、平面視で六角形に形成されていると共に、前記頭部の高さは、３０ｍｍ以上、７０ｍｍ以下に形成され、
前記頭部には、この頭部の下面に当接し、且つ前記下部本体部を通す貫通孔が形成されると共に前記頭部の外形よりも大きい外径に形成された円板状の鍔部が設けられていることを特徴とする視線誘導標。
【請求項２】
請求項１記載の視線誘導標であって、
前記上部支柱は筒状に形成され、この筒状部分に前記突き出し部が挿入されており、
前記上部支柱には軸直角方向に貫通する上部支柱ピン孔が形成され、前記突き出し部には前記上部支柱ピン孔と重なる位置に突き出し部ピン孔が形成され、
前記上部支柱を前記突き出し部に係止する止めピンが、前記上部支柱ピン孔及び前記突き出し部ピン孔に挿入されていることを特徴とする視線誘導標。
【請求項３】
請求項１又は請求項２記載の視線誘導標であって、
前記鍔部は、この鍔部の下面に外径方向に向かって下方に湾曲する湾曲面を有していることを特徴とする視線誘導標。
【請求項４】
請求項１から請求項３のいずれか１項記載の視線誘導標あって、
前記鍔部の外径は、前記下部支柱の外径の３倍以上、５倍以下であることを特徴とする視線誘導標。
【請求項５】
請求項１から請求項４のいずれか１項記載の視線誘導標あって、
前記上部支柱は、上端部にスノーポールが設けられていることを特徴とする視線誘導標。
【発明の詳細な説明】
【技術分野】
【０００１】
本発明は、道路や駐車場、あるいは車両が出入りする施設等において、車両の運転者の視線を誘導することにより走行をサポートする視線誘導標に関するものである。
【背景技術】
【０００２】
従来、道路の側方や中央などに沿って、道端や道路線形などを明示し、昼夜間における車両の運転者の視線を誘導するために、その上部に反射体が設けられたポール状の視線誘導標が地面に設置されている。また、積雪地帯では、除雪作業の目印としてスノーポールが設けられた視線誘導標もある。このような、運転者の視線を誘導する視線誘導標が知られている。
【０００３】
特許文献１の視線誘導標は、地面としての路面に、埋設アンカーが埋められた状態で固定されている。円筒状をなす樹脂製の補強部材及び外側標識柱の下端に一体成型された台座が、ボルトで埋設アンカーに固定されている。補強部材及び外側標識柱の内側に、所定の高さの内側標識柱が設けられている。このような構成とすることで、コンクリートなどの硬い路面に対して所定の高さとなるように視線誘導標が設置される。
【０００４】
ところで、視線誘導標は、コンクリートなどの硬い路面だけではなく、土の地面に設置する場合もある。このような場合は、特許文献１の視線誘導標の埋設アンカーが使用できない。視線誘導標を土の地面に設置する場合、いわゆる標準型（土中埋込）と呼ばれる一本ものの支柱からなる視線誘導標が使用されることがある。
【０００５】
一般的に、一本ものの支柱からなる視線誘導標は、地上９０ｃｍの上部支柱と、根入れ６０ｃｍの下部支柱とで構成され、下部支柱にネカセと呼ばれる横に延びるピン状の抜け止め部材が設けられる。このため、地面に支柱の打ち込みができず、床掘、建て込み、埋め戻しの一連の作業が伴う。
【０００６】
別形式の視線誘導標として、特許文献２に視線誘導標が知られている。特許文献２の視線誘導標は、底を開放した円筒状の鞘管に係合手段を設けて鞘管を地面に埋設し、この鞘管に支柱を挿し込んで係合手段により支柱を鞘管に係合する。
【０００７】
しかし、標準型（土中埋込）の一本ものの支柱からなる視線誘導標も特許文献２の視線誘導標も、地面からの支柱の高さを所定の高さにする必要があるが、地面の床掘、建て込み、埋め戻しの一連の作業の際に正確に高さの計測を行わなければ、支柱の高さにズレが生じやすくなる。一方、支柱の高さを所定の高さにするために、地面の床掘、建て込み、埋め戻しの一連の作業の際、支柱の地上高さを正確に計測して作業を行うと手間と工数がかかる。
【０００８】
また、視線誘導標を土の地面に設置した場合、日が経つにつれて視線誘導標の根本周辺に草が生えてくる。視線誘導の妨げにならないように延びて邪魔になった草は、草刈り作業により除去する必要がある。しかし、草刈り機で草刈り作業を行う際、支柱の根本が草で見え難くなっており、誤って支柱の根本を切断することがある。この対策として特許文献３の技術が知られている。
【０００９】
特許文献３の技術は、ガードレールや視線誘導標の支柱の根本に、ゴム製の円環板状の雑草抑制板を取り付けるものである。支柱と雑草抑制板の隙間から水がしみ込んで隙間から草が生えないようにするために、雑草抑制板の内径側に尖った凹凸状のリップが複数形成されている。
【００１０】
しかし、雑草抑制板は、内径を支柱の外径と同等か若干小さくすることで内径側を支柱に押さえつけ、リップの摩擦力により支柱の外周面に保持されているだけのため、雑草抑制板の下から成長する草の力で押し上げられる可能性がある。また、支柱を設置した後に雑草抑制板を取り付けるため、地面の床掘、建て込み、埋め戻しの一連の作業の際、支柱の地上高さを正確に計測して作業を行う必要があり手間と工数がかかる。
【先行技術文献】
【特許文献】
【００１１】
【特許文献１】特開２００４−２７０２２９号公報
【特許文献２】実用新案登録第３１１４８８２号公報
【特許文献３】実用新案登録第３１５８９０４号公報
【発明の概要】
【発明が解決しようとする課題】
【００１２】
本発明は、以上の点に鑑み、土の地面における支柱の地上高さを一定にする設置作業を容易にでき、且つ、支柱の根本周辺に草が生えるのを抑制し続けることができる視線誘導標を提供することを課題とする。
【課題を解決するための手段】
【００１３】
［１］地面に埋設された下部支柱と、この下部支柱に設けられ上方へ起立する上部支柱と、この上部支柱に設けられ光を反射する反射体と、を備えている視線誘導標であって、
前記下部支柱は、前記地面に所定の長さに埋設され下方に延びている下部本体部と、この下部本体部の上部に設けられ前記下部本体部の外径よりも大きい外形の頭部と、この頭部から上方に延びるように設けられ前記上部支柱を支持する突き出し部と、を備え、
前記頭部には、この頭部の下面に当接し、且つ前記下部本体部を通す貫通孔が形成されると共に前記頭部の外形よりも大きい外径に形成された円板状の鍔部が設けられていることを特徴とする。
【００１４】
かかる構成によれば、下部支柱は、地面に埋設される下部本体部の上部に下部本体の外径よりも大きい外形の頭部を備えている。頭部には、この頭部の下面に当接し、且つ下部本体部を通す貫通孔が形成されると共に頭部の外形よりも大きい外径に形成された円板状の鍔部が設けられているので、下部支柱を土の地面に差すように建て込むだけで、鍔部が地面に接して移動が制限され、下部支柱のいわゆる根入れ深さが一定になる。このため、頭部から上方に延びるように設けられた突き出し部に、上部支柱を挿し込み支持させるだけで、土の地面における上部支柱（支柱）の地上高さを一定にでき、設置作業を容易にすることができる。
【００１５】
さらに、鍔部が地面に押し付けられるので平面視で鍔部の範囲から草が生えることを抑制できる。鍔部の上面は頭部下面に押さえられて鍔部と頭部の間には隙間がないので、従来技術（特許文献３）のような複雑なリップ構造が不要となり、簡単な構造で隙間から草が生えることを抑制できる。さらに、剛性の大きい頭部で鍔部を押さえるので、従来技術（特許文献３）のような剛性の小さいリップ構造で鍔部を押さえるのとは異なり、草の成長で鍔部が押し上げられる力よりも鍔部を押さえる力を大きくでき且つ抑える力を持続させることができる。さらに、頭部で蓋部を押さえるだけなので、鍔部をピンなどの別部材を用いて固定する必要もなく、部品点数を少なくして簡単な構成にすることができる。結果、簡単な構造で、支柱の根本周辺に草が生えるのを抑制し続けることができる。
【００１６】
［１］好ましくは、前記下部支柱は、前記下部本体部の先端部に形成され下方に向かって先細りになる先細り部と、この先細り部及び前記下部本体部の外周に形成され地面にねじ込み可能なねじ部と、を備えている。
【００１７】
かかる構成によれば、先細り部により土の地面に容易に突き刺して前進させることができる。さらに、ねじ部により下部支柱を回転させるだけで容易に地面の中に埋め込むことができる。同様に下部支柱を逆回転させることで容易に抜き取ることもできる。従来技術のように、床堀、建て込み、埋め戻しの一連の作業が不要で、簡単に下部支柱を設置できる。さらに、下部支柱を回転させて埋め込む際、ねじ部により下部支柱を少しずつ前進させて鍔部を地面に大きな力で押さえ付けることができる。さらに、ねじ部が抜け止めの役割を果たすこともできる。
【００１８】
［１］好ましくは、前記頭部は、平面視で六角形に形成されている。
【００１９】
かかる構成によれば、頭部が六角形に形成されているので、レンチなどの工具で容易に頭部を回転させることができる。地面の状態によっては大きな力で頭部を回転させる必要があるが、頭部を六角にすることで、工具により大きな力で頭部を回転させることができ、支柱の向きの調整も容易にできる。
【００２０】
［２］好ましくは、前記上部支柱は筒状に形成され、この筒状部分に前記突き出し部が挿入されており、
前記上部支柱には軸直角方向に貫通する上部支柱ピン孔が形成され、前記突き出し部には前記上部支柱ピン孔と重なる位置に突き出し部ピン孔が形成され、
前記上部支柱を前記突き出し部に係止する止めピンが、前記上部支柱ピン孔及び前記突き出し部ピン孔に挿入されている。
【００２１】
かかる構成によれば、突き出し部に筒状の上部支柱を嵌め、上部支柱ピン孔及び突き出し部ピン孔に止めピンを留めるだけで視線誘導標全体を組み上げることができる。さらに、上部支柱の交換が必要な場合、下部支柱を地面から抜き出すことなくそのままの状態で、止めピンの抜き差しだけで上部支柱のみを容易に交換することができる。
【００２２】
［３］好ましくは、前記鍔部は、この鍔部の下面に外径方向に向かって下方に湾曲する湾曲面を有している。
【００２３】
かかる構成によれば、下方に湾曲する湾曲面により鍔部を地面に食い込ませて浮き上がらないようにでき、草が生えるのをより抑制することができる。
【００２４】
［４］好ましくは、前記鍔部の外径は、前記下部支柱の外径の３倍以上、５倍以下である。
【００２５】
かかる構成によれば、鍔部の外径を下部支柱の外径の３倍以上にすることで、草刈り機で草を刈る際に、草刈り機の刃で誤って支柱を破損させないような支柱の根本周辺を見渡せる範囲に草が生えるのを抑制することができる。鍔部の外径を下部支柱の外径の５倍以下にすることで、鍔部を小型に保つことで持ち運びを容易にして視線誘導標の設置作業を容易にすることができる。
【００２６】
［５］好ましくは、前記上部支柱は、上端部にスノーポールが設けられている。
【００２７】
かかる構成によれば、本発明の視線誘導標をスノーポールにも使用することができる。
【発明の効果】
【００２８】
土の地面における支柱の地上高さを一定にする設置作業を容易にでき、且つ、支柱の根本周辺に草が生えるのを抑制し続けることができる。
【図面の簡単な説明】
【００２９】
【図１】本発明に係る視線誘導標の分解図である。
【図２】本発明に係る視線誘導標の使用状態を示す正面図である。
【図３】本発明に係る視線誘導標の要部断面図である。
【図４】本発明に係る鍔部の説明図である。
【図５】比較例及び実施例の視線誘導標の作用図である。
【図６】スノーポールが設けられた視線誘導標の使用状態を示す正面図である。
【発明を実施するための形態】
【００３０】
本発明の実施の形態を添付図に基づいて以下に説明する。なお、作用図は、視線誘導標を概念的（模式的）に示すものとする。
【実施例】
【００３１】
図１及び図２に示されるように、視線誘導標１０は、地面６０に埋設された下部支柱２０と、この下部支柱２０に設けられ上方へ起立する上部支柱３０と、この上部支柱３０の上部に設けられ光を反射する反射体３４と、を備えている。
【００３２】
下部支柱２０は、地面６０に所定の長さに埋設され下方に延びている下部本体部２１と、この下部本体部２１の先端部に形成され下方に向かって先細りになる先細り部２３と、この先細り部２３及び下部本体部２１の外周に形成され地面６０にねじ込み可能なねじ部２２と、を備えている。
【００３３】
なお、地面６０は、土又は下部支柱２０を差してねじ込むことができる場所である。また図面では、ねじ部２２を簡略化して記載したが、ねじ部２２は、下部支柱２０を回転させることで土に食い込んで下部支柱２０を前進又は後退させることができる大きさのらせん形状である。
【００３４】
また、下部支柱２０は、下部本体部２１の上部に設けられ下部本体部２１の外径よりも大きい外形の頭部２４と、この頭部２４から上方に延びるように設けられ上部支柱３０を支持する突き出し部２５と、を備えている。頭部２４は、平面視で六角形（図４参照）に形成されている。下部支柱２０には、頭部２４に当接するように円板状の鍔部５０が着脱可能に設けられている。
【００３５】
上部支柱３０は、筒状に形成されてこの筒状部分に下部支柱２０の突き出し部２５が挿入される上部本体部３１と、この上部本体部３１の上端部に設けられた上部枠体３２と、この上部枠体３２に設けられ反射体３４を囲うように支持する反射体３４と、を備えている。
【００３６】
なお、実施例では、反射体３４を上部本体部の上部にのみ設けたがこれに限定されず、上部本体部の外周に単数の反射テープ又は間隔を開けて複数の反射テープを設けても差し支えない。
【００３７】
また、上部支柱３０の上部本体部３１には軸直角方向に貫通する上部支柱ピン孔３５が形成されている。下部支柱２０の突き出し部２５には、上部本体部３１の筒状部分に突き出し部２５が挿入された状態で、上部支柱ピン孔３５と重なる位置に突き出し部ピン孔２６が形成されている。上部支柱３０を突き出し部２５に係止する止めピン４０が、上部支柱ピン孔３５及び突き出し部ピン孔２６に挿入されている。
【００３８】
また、止めピン４０の一端部には一端部側の抜け止め用に抜け止め頭部が設けられている。止めピン４０の他端部には孔４１が設けられ、この孔４１にスナップピン４２が留められることで、他端部側の抜け止めがなされる。スナップピン４２を外して、止めピン４０を抜くことで、上部支柱３０を下部支柱２０から容易に着脱することができる。また、止めピン４０、スナップピン４１は、表面又は全体の色が上部本体部３１と同色である。このように同色にすることで、全体としてスッキリとさせ外観性を向上すると共に、視線誘導性を向上させることができる。なお、また、止めピン４０、スナップピン４１を、メッキ色としても差し支えない。
【００３９】
次に上下方向の寸法の一例について説明する。
先細り部２３の長さはＬ１であり、Ｌ１＝２００ｍｍである。下部本体部２１の長さはＬ２であり、Ｌ２＝４００ｍｍである。頭部２４の高さはＬ３であり、Ｌ３＝５０ｍｍである。突き出し部２５の長さはＬ４であり、Ｌ４＝２００ｍｍである。上部本体部３１の下端から反射体３４の中心までの長さはＬ５であり、Ｌ５＝８５０ｍｍである。また、下部支柱２０に上部支柱３０を組付けた状態で、上部支柱ピン孔３５の位置は、頭部２４の上面２４ａから５０ｍｍの位置にある。
【００４０】
なお、実施例おける上下方向の寸法は一例であり、地面６０から反射体３４の中心までの高さが９００ｍｍとであれば、頭部２４の高さＬ３を３０ｍｍ、７０ｍｍなどにし、突き出し部２５の長さＬ４を１５０ｍｍ、２５０ｍｍなどにし、下部本体部Ｌ２の長さＬ２を３００ｍｍ、５００ｍｍなどにし、先細り部２３の長さＬ１を３００ｍｍ、１００ｍｍなどにしてもよく、各部の長さを適宜変更しても差し支えない。また、実施例では先細り部２３を設けたが、下部支柱２０を地面６０に差し込んで埋設できれば先細り部２３を設けなくてもよい。
【００４１】
次に鍔部５０とその周辺の部材について詳しく説明する。
図２、図３、図４（ａ）及び（ｂ）に示されるように、下部支柱２０の頭部２４の上面２４ａに、上部支柱３０の上部本体部３１の下端が当接している。鍔部５０には、下部本体部２１を通す貫通孔５１が形成され、鍔部５０の上面５２は頭部２４の下面２４ｂに当接し、鍔部５０の下面５３は地面６０に接している。鍔部５０は、頭部２４の外形Ｗ１よりも大きい外径Ｄ５の円板状に形成されている。鍔部５０の厚さはＴ１であり、Ｔ１＝５ｍｍである。
【００４２】
次に横方向の寸法の一例について説明する。
突き出し部２５及び下部本体部２１の外径はＤ１であり、Ｄ１＝７５ｍｍである。上部本体部３１の内径はＤ２であり、Ｄ２＝７７ｍｍである。上部本体部３１の外径はＤ３であり、Ｄ３＝８９ｍｍである。頭部２４の外形の大きさはＷ１であり、Ｗ１＝１４０ｍｍである。鍔部５０の内径はＤ４であり、Ｄ４＝８０ｍｍである。鍔部５０の外径はＤ５であり、Ｄ５＝２８０ｍｍである。
【００４３】
なお、鍔部５０の外径はＤ５、下部支柱２０（下部本体部２１）の外径Ｄ１の３倍以上、５倍以下であることが好ましい。鍔部５０の外径Ｄ５を下部支柱２０の外径の３倍以上にすることで、草刈り機７０（図５参照）で草６１（図５参照）を刈る際に、草刈り機７０の刃７１（図５参照）で誤って支柱（上部支柱３０）を破損させないような支柱の根本周辺を見渡せる範囲に草６１が生えるのを抑制することができる。鍔部５０の外径Ｄ５を下部支柱２０の外径の５倍以下にすることで、鍔部５０を小型に保つことで持ち運びを容易にして視線誘導標１０の設置作業を容易にすることができる。
【００４４】
なお、実施例のおける横方向の寸法は一例であり、鍔部５０の内径Ｄ４が、下部本体部２１のねじ部２２の外径よりも大きく、且つ頭部２４の外形の大きさＷ１よりも小さければ、鍔部５０の外径Ｄ５を２００ｍｍ、２５０ｍｍ、３００ｍｍ、３５０ｍｍなどにしてもよい。また、他の部分の寸法も実施例の以外の値であってもよい。また、実施例の鍔部５０の厚さＴ１を５ｍｍとしたが、４ｍｍ、８ｍｍなど他の値であってもよい。
【００４５】
また、下部支柱２０、上部支柱３０及び鍔部５０の材質は、ポリエチレン樹脂である。なお、下部支柱２０、上部支柱３０及び鍔部５０の材質は、ポリエチレン樹脂に限定されず、ポリウレタン、ＡＢＳ、ガラス繊維を含んだ強化プラスチックなどの合成樹脂であってもよく、さらには金属製であってもよい。
【００４６】
次に鍔部５０の別態様について説明する。
図４の（ｃ）に示すように、鍔部５０は、外径方向に向かって下方に湾曲する上側の湾曲面５２ａと、外径方向に向かって下方に湾曲する下側の湾曲面５３ａと、を有している。下方に湾曲する湾曲面５３ａにより鍔部５０を地面６０に食い込ませて浮き上がらないようにでき、草６１が生えるのをより抑制することができる。さらに、上側及び下型を共に下方に湾曲させることで、平板状の鍔部５０をプレス加工などで容易に曲げて成形することができる。
【００４７】
次に鍔部５０のさらなる別態様について説明する。
図４の（ｄ）に示すように、鍔部５０は、平面状の上面５２と、外径方向に向かって下方に湾曲する下側の湾曲面５３ａと、を有している。下側を湾曲する湾曲面５３ａにし、上側を平面状の上面５２にすることで、肉厚部分を形成して鍔部５０の合成を向上させることができ、且つ下方に湾曲する湾曲面５３ａにより鍔部５０を地面６０に食い込ませてより一層浮き上がらないようにでき、草６１が生えるのをより抑制することができる。
【００４８】
次に比較例の視線誘導標１００の作用について説明する。
図５の（ａ）は比較例の視線誘導標１００であり、下部支柱１０１と上部支柱１０２が一体的に繋がったいわゆる一本ものに形成されている。下部支柱１０１には、抜け止め用に横に延びるピン状のネカセ１０３と呼ばれる部材が設けられている。このため、地面６０に下部支柱１０１の打ち込みができず、床掘、建て込み、埋め戻しの一連の作業が伴う。上部支柱１０２の上部には反射体１０４が設けられている。
【００４９】
ここで、支柱は所定の高さＨ１にする必要があるところ、比較例の視線誘導標１００は、地面６０の床掘、建て込み、埋め戻しの一連の作業の際、支柱の地上高さを正確に計測して作業を行わない場合、作業地面６０から反射体１０４までの高さ（支柱の高さ）がＨ２となり、所定の高さＨ１とズレ易くなる。このように、比較例の視線誘導標１００では、支柱の高さを所定の高さＨ１にするために、床掘、建て込み、埋め戻しの一連の作業の際、地面６０に基準位置６０ａを合わせるように支柱の地上高さを正確に計測して作業を行う必要があり手間と工数がかかる。
【００５０】
図５（ｂ）は比較例の視線誘導標１００における草刈り作業を示す図である。土の地面６０に視線誘導標１００を設置した場合、日数が経過すると地面６０に草６１が生えてくる。草６１が大きく成長すると視線誘導の妨げになるため視線誘導標１００周辺の草６１を草刈り機７０で草刈りする。その際、比較例の視線誘導標１００では上部支柱１０２の根本近傍まで草６１が生えており、草刈りの際に誤って草刈り機７０の刈刃７１で上部支柱１０２の根本を損傷させることがある。場合によっては、上部支柱１０２を切断することもあり、切断された場合は下部支柱１０１からの補修が困難なことから、下部支柱１０１の残存部分に木杭などの中芯を挿入し、その上に軽損傷の上部支柱１０２を建て込む補修がなされることもある。
【００５１】
次に実施例の視線誘導標１０の作用について説明する。
図５（ｃ）は実施例の視線誘導標１０であり、建て込み方法は、棒の先端部にらせん状のオーガが設けられたオーガドリルでガイド穴を掘り、このガイド穴に鍔部５０を介して下部支柱２０をねじ込んで埋める。その際、鍔部５０が地面６０に接し、鍔部５０の上に頭部２４が当接するので、計測することなく下部支柱２０の根入れ深さが一定（所定の深さ）になる。この下部支柱２０に上部支柱３０を接続し、止めピン４０で止める。これにより、地面６０から反射体３４までの高さ（支柱の高さ）が所定の高さＨ１になる。
【００５２】
反射体３４の向きを調整する場合は、視線誘導標１０の建て込み後であっても、六角の頭部２４にレンチなどの工具を嵌めて回転させることで反射体３４の向きの微調整を容易に行うことができる。このように、実施例の視線誘導標１０は、従来技術及び比較例の技術と比較して建て込みの工数を低減して短時間で設置することができる。
【００５３】
図５（ｄ）は実施例の視線誘導標１０における草刈り作業を示す図である。土の地面６０に視線誘導標１０を設置した場合、日数が経過すると地面６０に草６１が生えてくる。草６１が大きく成長すると視線誘導の妨げになるため視線誘導標１０周辺の草６１を草刈り機７０で草刈りする。その際、実施例の視線誘導標１０では、鍔部５０があるため、上部支柱３０の根本周辺には草６１が生えておらず、根本周辺の見通しがよい。このため、草刈り機７０の刈刃７１で誤って上部支柱３０の根本を損傷することなく、草刈り作業を行うことができる。
【００５４】
また、刈刃７１が上部支柱３０の根本に近づいても上部支柱３０の下方には上部支柱３１よりも肉厚な頭部２４があるため、頭部２４によって上部支柱３０の根本やその内側の下部支柱２０を保護することができる。仮に、上部支柱３０が損傷した場合でも、止めピン４０を外して上部支柱３０を容易に交換することができる。
【００５５】
次にスノーポール３６が設けられた視線誘導標１０について説明する。なお、以下の説明では、図２と同様の構成については符号を振り説明を省略する。
【００５６】
図６に示されるように、視線誘導標１０は、上部支柱３０の上端部に上方に延びるようにしてスノーポール３６が設けられている。このスノーポール３６の上端部にはスノーポール枠体３７が設けられている。スノーポール３６の長さはＬ６であり、例えばＬ６＝６５０ｍｍである。なお、スノーポール３６は、設置場所によって適宜長さが異なるものを使用してもよい。
【００５７】
次に以上に述べた視線誘導標１０の作用、効果を説明する。
【００５８】
本発明の実施例は、頭部２４には、この頭部２４の下面２４ｂに当接し、且つ下部本体部２１を通す貫通孔５１が形成されると共に頭部２４の外形Ｗ１よりも大きい外径Ｄ５に形成された円板状の鍔部５０が設けられているので、下部支柱２０を土の地面６０に差すように建て込むだけで、鍔部５０が地面６０に接して移動が制限され、下部支柱２０のいわゆる根入れ深さが一定になる。このため、頭部２４から上方に延びるように設けられた突き出し部２５に、上部支柱３０を挿し込み支持させるだけで、土の地面６０における上部支柱３０（支柱）の地上高さを一定にでき、設置作業を容易にすることができる。
【００５９】
さらに、本発明の実施例では、鍔部５０が地面６０に押し付けられるので平面視で鍔部５０の範囲から草６１が生えることを抑制できる。鍔部５０の上面５２は頭部下面２４ｂに押さえられて鍔部５０と頭部２４の間には隙間がないので、従来技術（特許文献３）のような複雑なリップ構造が不要となり、簡単な構造で隙間から草６１が生えることを抑制できる。さらに、剛性の大きい頭部２４で鍔部５０を押さえるので、従来技術（特許文献３）のような剛性の小さいリップ構造で鍔部を押さえるのとは異なり、草６１の成長で鍔部５０が押し上げられる力よりも鍔部５０を押さえる力を大きくでき且つ抑える力を持続させることができる。さらに、頭部２４で蓋部５０を押さえるだけなので、鍔部５０をピンなどの別部材を用いて固定する必要もなく、部品点数を少なくして簡単な構成にすることができる。結果、簡単な構造で、支柱の根本周辺に草６１が生えるのを抑制し続けることができる。
【００６０】
さらに、本発明の実施例では、先細り部２３により土の地面６１に容易に突き刺して前進させることができる。さらに、ねじ部２２により下部支柱２０を回転させるだけで容易に地面６０の中に埋め込むことができる。同様に下部支柱２０を逆回転させることで容易に抜き取ることもできる。従来技術のように、床堀、建て込み、埋め戻しの一連の作業が不要で、簡単に下部支柱２０を設置できる。さらに、下部支柱２０を回転させて埋め込む際、ねじ部２２により下部支柱２０を少しずつ前進させて鍔部５０を地面６０に大きな力で押さえ付けることができる。さらに、ねじ部２２が抜け止めの役割を果たすこともできる。
【００６１】
さらに、本発明の実施例では、頭部２４が六角形に形成されているので、レンチなどの工具で容易に頭部２４を回転させることができる。地面６０の状態によっては大きな力で頭部２４を回転させる必要があるが、頭部２４を六角にすることで、工具により大きな力で頭部２４を回転させることができ、支柱の向きの調整も容易にできる。
【００６２】
さらに、本発明の実施例では、突き出し部２５に筒状の上部支柱３０を嵌め、上部支柱ピン孔３５及び突き出し部ピン孔２６に止めピン４０を留めるだけで視線誘導標１０全体を組み上げることができる。さらに、上部支柱３０の交換が必要な場合、下部支柱２０を地面６０から抜き出すことなくそのままの状態で、止めピン４０の抜き差しだけで上部支柱３０のみを容易に交換することができる。
【００６３】
さらに、本発明の実施例では、視線誘導標１０をスノーポール３６にも使用することができる。
【００６４】
尚、実施例では、下部本体部２１及び先細り部２３にねじ部２２を設けたが、これに限定されず、ねじ部２２が設けられていない下部本体部２１及び先細り部２３としてもよい。また、実施例では、止めピン４０をスナップピン４２に留めたが、これに限定されず、止めピン４０とスナップピン４２の代わりに、首長のボルトとナットを使用してもよく、下部支柱２０に上部支柱３０を接続して止めることができれば他の方法であってもよい。
【００６５】
また、実施例では、下部支柱２０と上部支柱３０とを別体の部品としたが、これに限定されず、頭部２４を設けて頭部２４で鍔部５０を押さえる構造であれば下部支柱２０と上部支柱３０と一体に形成しても差し支えない。この場合は、突き出し部２５と上部本体部３１が一体的に形成される。また、実施例では、頭部２４を平面視で六角形としたが、これに限定されず、平面視で三角形、四角形、円形としてもよく、高さも適宜変更してもよい。また、実施例では、鍔部５０の外形を平面視で円形としたが、これに限定されず、平面視で三角形、四角形、六角形、八角形などとしてもよく、平面視での形状は適宜変更してもよい。
【００６６】
即ち、本発明の作用及び効果を奏する限りにおいて、本発明は、実施例に限定されるものではない。
【産業上の利用可能性】
【００６７】
本発明の技術は、道端や道路線形などを明示するために車両の運転者の視線誘導を行う視線誘導標に好適である。
【符号の説明】
【００６８】
１０…視線誘導標、２０…下部支柱、２１…下部本体部、２２…ねじ部、２３…先細り部、２４…頭部、２５…突き出し部、２６…突き出し部ピン孔、３０…上部支柱、３１…上部本体部、３４…反射体、３５…上部支柱ピン孔、３６…スノーポール、４０…止めピン、５０…鍔部、５１…貫通孔、５３ａ…湾曲面、６０…地面、Ｗ１…頭部外形、Ｄ１…下部本体部外径、Ｄ５…鍔部外径、Ｈ１…所定の高さ。
【要約】
【課題】土の地面における支柱の地上高さを一定にする設置作業を容易にでき、且つ、支柱の根本周辺に草が生えるのを抑制し続けることができる視線誘導標を提供すること。
【解決手段】視線誘導標１０は、地面に埋設された下部支柱２０と、上方へ起立する上部支柱３０と、光を反射する反射体３４と、を備えている。下部支柱２０は、地面に所定の長さに埋設され下方に延びている下部本体部２１と、この下部本体部２１の上部に設けられ下部本体部２１の外径よりも大きい外形の頭部２４と、を備えている。頭部２４には、この頭部２４の下面に当接し、且つ下部本体部２１を通す貫通孔５１が形成されると共に頭部２４の外形よりも大きい外径に形成された円板状の鍔部５０が設けられている。
【選択図】図２【図１】
0006797449.tif 000002
【図２】
0006797449.tif 000003
【図３】
0006797449.tif 000004
【図４】
0006797449.tif 000005
【図５】
0006797449.tif 000006
【図６】
0006797449.tif 000007